(57)【特許請求の範囲】
【請求項１】
表示パラメータの調整方法であって、
液晶パネルに所定のグレースケール値の画面を表示させ、前記所定のグレースケール値は、最大グレースケール値の３分の２より小さくない手順と、
前記液晶パネルの共通電極電圧Ｖｃｏｍを所定の第１電圧範囲内で変化させるとともに、前記液晶パネルの共通電極電圧Ｖｃｏｍが変化する過程で前記液晶パネルの最小フリッカー値を取得する手順と、
前記最小フリッカー値に対応する液晶パネルの共通電極電圧Ｖｃｏｍを最適な共通電極電圧Ｖｃｏｍとするとともに、前記液晶パネルの共通電極電圧Ｖｃｏｍを調整して前記最適なＶｃｏｍとする手順と、を行い、
さらに、
前記液晶パネルが最小グレースケール画面を表示する時の第１輝度値と、最大グレースケール画面を表示する時の第２輝度値と、を取得する手順と、
前記第１輝度値、第２輝度値、及び前記液晶パネルの基準ガンマ曲線に基づいて、各グレースケール値に対応する前記基準ガンマ曲線と一致する目標輝度値を取得する手順と、
各グレースケール値に対応する前記目標輝度値及びあらかじめ取得された前記液晶パネルのグレースケール電圧と輝度の間の関係に基づいて、前記液晶パネルの各グレースケール値の目標グレースケール電圧を取得する手順と、
前記液晶パネルの各グレースケール値のグレースケール電圧を前記グレースケール値の目標グレースケール電圧に調整することによって、前記液晶パネルのガンマを調整する手順と、を有し
前記第１輝度値、第２輝度値、及び前記液晶パネルの基準ガンマ曲線に基づき、各グレースケール値に対応する前記基準ガンマ曲線と一致する各目標輝度値を得る具体的な手順は、
前記第１輝度値、第２輝度値、及び関係式（１）に基づいて、各グレースケール値に対応する前記基準ガンマ曲線と一致する各目標輝度値を取得する手順からなり、
そのうち、前記関係式（１）は、具体的には、
（Ｌｘ−Ｌｍｉｎ）／（Ｌｍａｘ−Ｌｍｉｎ）＝（ｘ／Ｇｍａｘ）γ
であり、
そのうち、前記Ｌｘはｘグレースケール値で算出された目標輝度値であり、Ｌｍｉｎは前記第１輝度値であり、Ｌｍａｘは前記第２輝度値であり、前記ｘは前記最小グレースケール値から最大グレースケール値の間の任意のグレースケール値であり、前記Ｇｍａｘは最大グレースケール値であり、前記γは前記液晶パネルの標準ガンマ値であり、
さらに、
前記液晶パネルの各グレースケール値ｘの調整電圧ΔＶｘを所定の第２電圧の範囲内で順番に変更可能な最小電圧解像度ずつ増やす変化をさせるとともに、各グレースケール値ｘの調整電圧ΔＶｘが変化する過程で前記液晶パネルのフリッカー値Ｆ（ΔＶｘ）をそれぞれ獲得する手順と、
各グレースケール値ｘに対応する前記液晶パネルのフリッカー値Ｆ（ΔＶｘ）において、所定のフリッカー値より小さいフリッカー値Ｆ（ΔＶｘ'）を取得するとともに、前記各グレースケールｘに対応する前記フリッカー値Ｆ（ΔＶｘ'）が対応する調整電圧ΔＶｘ'に基づいて、前記グレースケール値ｘの最適な調整電圧を取得する手順と、
各グレースケール値ｘに対応する正電圧と負電圧は、どちらも前記グレースケール値ｘの最適な調整電圧に従って調整することによって、前記液晶パネルのフリッカー値を調整する手順と、を有し、
そのうち、前記ｘは、最小グレースケール値から最大グレースケール値の間の任意グレースケール値であり、前記グレースケール値ｘの調整電圧ΔＶｘは、前記グレースケール値ｘに対応する正電圧と負電圧によって変えられた電圧量であり、
前記各グレースケール値ｘに対応する前記液晶パネルのフリッカー値Ｆ（ΔＶｘ）において、所定のフリッカー値より小さいフリッカー値Ｆ（ΔＶｘ'）を取得するとともに、前記各グレースケール値ｘに対応する前記フリッカー値Ｆ（ΔＶｘ'）が対応する調整電圧ΔＶｘ'に基づいて、前記グレースケール値ｘの最適な調整電圧を取得する手順は、
所定のフリッカー値より小さいフリッカー値Ｆ（ΔＶｘ'）を与える前記ΔＶｘ'を抽出し、
前記抽出した前記ΔＶｘ'の平均値を前記グレースケール値ｘの最適な調整電圧ΔＶｘｍｉｎとする
ことを特徴とする表示パラメータの調整方法。
【請求項２】
液晶パネルと、
輝度センサーと、
表示パラメータの調整裝置と、からなる液晶表示システムであって、
前記輝度センサーは、前記液晶パネルの輝度情報を取得するのに用いられ、前記液晶パネルの輝度情報は、前記液晶パネルの輝度値とフリッカー値を備え、
前記表示パラメータの調整裝置は、前記輝度センサーが取得した輝度情報に基づいて前記液晶パネルの表示パラメータを調整し、そのうち、
前記表示パラメータの調整裝置は、
獲得モジュールと、
第１取得モジュールと、
第２取得モジュールと、
第１調整モジュールと、を備え、
前記獲得モジュールは、液晶パネルが最小グレースケール画面を表示する時の第１輝度値と、最大グレースケール画面を表示する時の第２輝度値を獲得するとともに、前記第１輝度値と第２輝度値を前記第１取得モジュールに送信するのに用いられ、
前記第１取得モジュールは、前記第１輝度値、第２輝度値、及び前記液晶パネルの基準ガンマ曲線に基づいて、各グレースケールに対応する前記基準ガンマ曲線と一致する目標輝度値を取得するとともに、前記各グレースケールに対応する目標輝度値を前記第２取得モジュールに送信するのに用いられ、
前記第２取得モジュールは、各グレースケールに対応する前記目標輝度値及びあらかじめ取得された前記液晶パネルのグレースケール電圧と輝度の間の関係に基づいて、前記液晶パネルの各グレースケールの目標グレースケール電圧を取得するとともに、前記各グレースケールの目標グレースケール電圧を第１調整モジュールに送信するのに用いられ、
前記第１調整モジュールは、前記液晶パネルの各グレースケール値のグレースケール電圧を前記グレースケール値の目標グレースケール電圧に調整することによって、前記液晶パネルのガンマを調整し、
前記第１取得モジュールは、具体的には前記第１輝度値、第２輝度値、及び関係式（１）に基づいて、各グレースケール値に対応する前記基準ガンマ曲線と一致する各目標輝度値を得るのに用いられ、
そのうち、前記関係式（１）は、具体的には、
（Ｌｘ−Ｌｍｉｎ）／（Ｌｍａｘ−Ｌｍｉｎ）＝（ｘ／Ｇｍａｘ）γ
であり、
そのうち、前記Ｌｘはｘグレースケール値で算出された目標輝度値であり、Ｌｍｉｎは前記第１輝度値であり、Ｌｍａｘは前記第２輝度値であり、前記ｘは前記最小グレースケールから最大グレースケールの間の任意のグレースケールであり、前記Ｇｍａｘは最大グレースケールであり、前記γは前記液晶パネルの標準ガンマ値であり、
さらに、
前記表示パラメータの調整裝置は、
第１獲得モジュールと、
第２獲得モジュールと、
第２調整モジュールと、を備え、
前記第１獲得モジュールは、前記液晶パネルの各グレースケール値ｘの調整電圧ΔＶｘを所定の第２電圧の範囲内で順番に変更可能な最小電圧解像度ずつ増やす変化をさせるとともに、各グレースケール値ｘの調整電圧ΔＶｘが変化する過程で前記液晶パネルのフリッカー値Ｆ（ΔＶｘ）をそれぞれ獲得し、各グレースケール値ｘに対応する液晶パネルのフリッカー値Ｆ（ΔＶｘ）を前記第２獲得モジュールに送信するのに用いられ、そのうち、前記ｘは、最小グレースケール値から最大グレースケール値の間の任意のグレースケール値であり、前記グレースケール値ｘの調整電圧ΔＶｘは、前記グレースケール値ｘに対応する正電圧と負電圧によって変えられた電圧量であり、
前記第２獲得モジュールは、各グレースケール値ｘに対応する前記液晶パネルのフリッカー値Ｆ（ΔＶｘ）において、所定のフリッカー値より小さいフリッカー値Ｆ（ΔＶｘ'）を獲得するとともに、前記各グレースケールｘに対応する前記フリッカー値Ｆ（ΔＶｘ'）が対応する調整電圧ΔＶｘ'に基づいて、前記グレースケール値ｘの最適な調整電圧を取得し、各グレースケール値ｘの最適な調整電圧を前記第２調整モジュールに送信するのに用いられ、
前記第２調整モジュールは、各グレースケール値ｘのグレースケール電圧を前記グレースケール値ｘの最適な調整電圧に従って調整するのに用いられることによって、前記液晶パネルのフリッカー値を調整し、
前記第２獲得モジュールは、具体的には、所定のフリッカー値より小さいフリッカー値Ｆ（ΔＶｘ'）を与える前記ΔＶｘ'を抽出し、
前記抽出した前記ΔＶｘ'の平均値を前記グレースケール値ｘの最適な調整電圧ΔＶｘｍｉｎとし、
さらに、
表示モジュールと、第３獲得モジュールと、第３調整モジュールと、を有し、
前記表示モジュールは、前記液晶パネルに所定のグレースケール値の画面を表示させるのに用いられ、前記所定のグレースケール値は、最大グレースケール値の３分の２より小さくなく、
前記第３獲得モジュールは、前記液晶パネルの共通電極電圧Ｖｃｏｍを所定の第１電圧範囲内で変化させるとともに、前記液晶パネルのＶｃｏｍが変化する過程で前記液晶パネルの最小フリッカー値を取得するのに用いられ、
前記第３調整モジュールは、前記最小フリッカー値に対応する液晶パネルのＶｃｏｍを最適なＶｃｏｍとするとともに、前記液晶パネルのＶｃｏｍを調整して前記最適なＶｃｏｍとするのに用いられる
ことを特徴とする液晶表示システム。
【発明の詳細な説明】
【技術分野】
【０００１】
本発明は、ディスプレイの技術分野に関し、特に、表示パラメータの調整方法及び液晶表示システムに関する。
【背景技術】
【０００２】
液晶パネルの表示に対する使用者のニーズを満たすため、一般に、ガンマ（英語：Ｇａｍｍａ）曲線、フリッカー（英語：Ｆｌｉｃｋｅｒ）値等の表示パラメータを設定する必要がある。よって、液晶パネルを製造する時、製造業者は、使用者の規格を満たす一組の基準ガンマ曲線とフリッカー値を設定する。
【０００３】
しかしながら、液晶パネルの生産プロセスにおいて、製造方法と材料の違いから、各液晶パネルのガンマ曲線とフリッカー値にはいずれにも誤差が生じ、生産ラインで手作業を採用して１つずつガンマ曲線とフリッカー値を調整すると、全体の人件費と時間が大幅にかさむ。
【発明の概要】
【発明が解決しようとする課題】
【０００４】
本発明は、自動的に液晶パネルの表示パラメータを調整できる表示パラメータの調整方法及び液晶表示システムを提供することを目的とする。
【課題を解決するための手段】
【０００５】
本発明は、１つ目として、以下の手順からなる表示パラメータの調整方法を提供する。液晶パネルが最小グレースケール画面を表示する時の第１輝度値と最大グレースケール画面を表示する時の第２輝度値を取得する手順。前記第１輝度値、第２輝度値、及び前記液晶パネルの基準ガンマ曲線に基づいて、各グレースケールに対応する前記基準ガンマ曲線と一致する目標輝度値を取得する手順。各グレースケールに対応する前記目標輝度値及びあらかじめ取得された前記液晶パネルのグレースケール電圧と輝度の間の関係に基づいて、前記液晶パネルの各グレースケールの目標グレースケール電圧を取得する手順。液晶パネルの各グレースケールのグレースケール電圧を前記グレースケールの目標グレースケール電圧に調整することによって、前記液晶パネルのガンマを調整する手順。
【０００６】
１つ目の点と組み合わせて、１つ目の調整方法における可能な１種類目の実施方法では、前記第１輝度値、第２輝度値、及び前記液晶パネルの基準ガンマ曲線に基づき、各グレースケールに対応する前記基準ガンマ曲線と一致する各目標輝度値を得る手順は、具体的には以下の手順からなる。前記第１輝度値、第２輝度値、及び関係式（１）に基づいて、各グレースケールに対応する前記基準ガンマ曲線と一致する各目標輝度値を取得する手順。そのうち、前記関係式（１）は、具体的には、
【数１】
0006488382.tif 000002
である。
【０００７】
そのうち、前記Ｌｘはｘグレースケールで算出された目標輝度値であり、Ｌｍｉｎは前記第１輝度値であり、Ｌｍａｘは前記第２輝度値であり、前記ｘは前記最小グレースケールから最大グレースケールの間の任意のグレースケールであり、前記Ｇｍａｘは最大グレースケールであり、前記γは前記液晶パネルの標準ガンマ値である。
【０００８】
１つ目の点と組み合わせて、１つ目の調整方法における可能な二種類目の実施方法では、前記液晶パネルが最小グレースケール画面を表示する時の第１輝度値と最大グレースケール画面を表示する時の第２輝度値を取得する手順の前に、さらに以下の手順を行う。液晶パネルに所定のグレースケールの画面を表示させ、前記所定のグレースケールは、最大グレースケールの３分の２より大きくない手順。前記液晶パネルの共通電極電圧Ｖｃｏｍを所定の第１電圧範囲内で変化させるとともに、前記液晶パネルのＶｃｏｍが変化する過程で前記液晶パネルの最小フリッカー値を獲得する手順。前記最小フリッカー値に対応する液晶パネルのＶｃｏｍを最適なＶｃｏｍとするとともに、前記液晶パネルのＶｃｏｍを調整して前記最適なＶｃｏｍにする手順。
【０００９】
１つ目の点と組み合わせて、１つ目の調整方法における可能な３種類目の実施方法では、さらに以下の手順を行う。前記液晶パネルの各グレースケールｘの調整電圧ΔＶｘを所定の第２電圧の範囲内で変化させるとともに、各グレースケールｘの調整電圧ΔＶｘが変化する過程で前記液晶パネルのフリッカー値Ｆ（ΔＶｘ）をそれぞれ獲得する手順。各グレースケールｘに対応する正電圧と負電圧は、どちらも前記グレースケールｘの最適な調整電圧に従って調整することによって、液晶パネルのフリッカー値を調整する手順。そのうち、前記ｘは、最小グレースケールから最大グレースケールの間の任意グレースケールであり、前記グレースケールｘの調整電圧ΔＶｘは、前記グレースケールｘに対応する正電圧と負電圧によって変えられた電圧量である。各グレースケールｘに対応する前記液晶パネルのフリッカー値Ｆ（ΔＶｘ）において、所定のフリッカー値より小さいフリッカー値Ｆ（ΔＶｘ'）を取得するとともに、前記各グレースケールｘに対応する前記フリッカー値Ｆ（ΔＶｘ'）が対応する調整電圧ΔＶｘ'に基づいて、前記グレースケールｘの最適な調整電圧を取得する手順。
【００１０】
１つ目の調整方法における可能な３つ目の実施方法と組み合わせた１つ目の調整方法における可能な４種類目の実施方法では、前記各グレースケールｘに対応する前記液晶パネルのフリッカー値Ｆ（ΔＶｘ）において、所定のフリッカー値より小さいフリッカー値Ｆ（ΔＶｘ'）を取得するとともに、前記各グレースケールｘに対応する前記フリッカー値Ｆ（ΔＶｘ'）が対応する調整電圧ΔＶｘ'に基づいて、前記グレースケールｘの最適な調整電圧を取得する手順は、以下の手順を備える。各グレースケールｘに対応する前記液晶パネルのフリッカー値Ｆ（ΔＶｘ）における最小フリッカー値Ｆ（ΔＶｘｍｉｎ）を取得するとともに、前記最小フリッカー値Ｆ（ΔＶｘｍｉｎ）に対応する調整電圧ΔＶｘｍｉｎを前記グレースケールｘの最適な調整電圧とする手順。
【００１１】
本発明が、提供する２つ目の表示パラメータの調整方法は、以下の手順からなる。前記液晶パネルの各グレースケールｘの調整電圧ΔＶｘを所定の第２電圧の範囲内で変化させるとともに、各グレースケールｘの調整電圧ΔＶｘが変化する過程で前記液晶パネルのフリッカー値Ｆ（ΔＶｘ）をそれぞれ獲得する手順。各グレースケールｘに対応する前記液晶パネルのフリッカー値Ｆ（ΔＶｘ）において、所定のフリッカー値より小さいフリッカー値Ｆ（ΔＶｘ'）を取得するとともに、前記各グレースケールｘに対応する前記フリッカー値Ｆ（ΔＶｘ'）が対応する調整電圧ΔＶｘ'に基づいて、前記グレースケールｘの最適な調整電圧を取得する手順。各グレースケールｘのグレースケール電圧を前記グレースケールｘの最適な調整電圧に従って調整することによって、液晶パネルのフリッカー値を調整する手順。そのうち、前記ｘは、最小グレースケールから最大グレースケールの間の任意のグレースケールであり、前記グレースケールｘの調整電圧ΔＶｘは、前記グレースケールｘに対応する正電圧と負電圧によって変えられた電圧量である。
【００１２】
２つ目の点と組み合わせて、２つ目の調整方法における可能な１種類目の実施方法では、前記液晶パネルの各グレースケールｘの調整電圧ΔＶｘを所定の第２電圧の範囲内で変化させるとともに、各グレースケールｘの調整電圧ΔＶｘが変化する過程で前記液晶パネルのフリッカー値Ｆ（ΔＶｘ）をそれぞれ獲得する前記手順の前に、さらに以下の手順を行う。液晶パネルに所定のグレースケールの画面を表示させる手順。前記所定のグレースケールは、最大グレースケールの３分の２より小さくない手順。前記液晶パネルの共通電極電圧Ｖｃｏｍを所定の第１電圧範囲内で変化させるとともに、前記液晶パネルのＶｃｏｍが変化する過程で前記液晶パネルの最小フリッカー値を獲得し、前記最小フリッカー値に対応する液晶パネルのＶｃｏｍを最適なＶｃｏｍとするとともに、前記液晶パネルのＶｃｏｍを調整して前記最適なＶｃｏｍとする手順。
【００１３】
本発明は、３つ目として、液晶パネルと、輝度センサーと、上述の表示パラメータの調整裝置と、からなる液晶表示システムを提供する。前記輝度センサーは、前記液晶パネルの輝度情報を取得するのに用いられ、前記液晶パネルの輝度情報は、前記液晶パネルの輝度値とフリッカー値を備える。前記表示パラメータの調整裝置は、前記輝度センサーが取得した輝度情報に基づいて前記液晶パネルの表示パラメータを調整する。そのうち、前記表示パラメータの調整裝置は、獲得モジュールと、第１取得モジュールと、第２取得モジュールと、第１調整モジュールと、を備える。前記獲得モジュールは、液晶パネルが最小グレースケール画面を表示する時の第１輝度値と最大グレースケール画面を表示する時の第２輝度値を獲得するとともに、前記第１輝度値と第２輝度値を前記第１取得モジュールに送信するのに用いられる。前記第１取得モジュールは、前記第１輝度値、第２輝度値、及び前記液晶パネルの基準ガンマ曲線に基づいて、各グレースケールに対応する前記基準ガンマ曲線と一致する目標輝度値を取得するとともに、前記各グレースケールに対応する目標輝度値を前記第２取得モジュールに送信するのに用いられる。前記第２取得モジュールは、各グレースケールに対応する前記目標輝度値及びあらかじめ取得された前記液晶パネルのグレースケール電圧と輝度の間の関係に基づいて、前記液晶パネルの各グレースケールの目標グレースケール電圧を取得するとともに、前記各グレースケールの目標グレースケール電圧を第１調整モジュールに送信するのに用いられる。前記第１調整モジュールは、液晶パネルの各グレースケールのグレースケール電圧を前記グレースケールの目標グレースケール電圧に調整することによって、前記液晶パネルのガンマを調整することができる。且つ／或いは、前記表示パラメータの調整裝置は、第１獲得モジュールと、第２獲得モジュールと、第２調整モジュールと、を備える。前記第１獲得モジュールは、前記液晶パネルの各グレースケールｘの調整電圧ΔＶｘを所定の第２電圧の範囲内で変化させるとともに、各グレースケールｘの調整電圧ΔＶｘが変化する過程で前記液晶パネルのフリッカー値Ｆ（ΔＶｘ）をそれぞれ獲得し、各グレースケールｘに対応する液晶パネルのフリッカー値Ｆ（ΔＶｘ）を前記第２獲得モジュールに送信するのに用いられる。そのうち、前記ｘは、最小グレースケールから最大グレースケールの間の任意のグレースケールであり、前記グレースケールｘの調整電圧ΔＶｘは、前記グレースケールｘに対応する正電圧と負電圧によって変えられた電圧量である。前記第２獲得モジュールは、各グレースケールｘに対応する前記液晶パネルのフリッカー値Ｆ（ΔＶｘ）において、所定のフリッカー値より小さいフリッカー値Ｆ（ΔＶｘ'）を獲得するとともに、前記各グレースケールｘに対応する前記フリッカー値Ｆ（ΔＶｘ'）が対応する調整電圧ΔＶｘ'に基づいて、前記グレースケールｘの最適な調整電圧を取得し、各グレースケールｘの最適な調整電圧を前記第２調整モジュールに送信するのに用いられる。前記第２調整モジュールは、各グレースケールｘのグレースケール電圧を前記グレースケールｘの最適な調整電圧に従って調整するのに用いられることによって、液晶パネルのフリッカー値を調整することができる。
【００１４】
３つ目と組み合わせて、３つ目による可能な１種類目の実施方法において、前記第１取得モジュールは、具体的には前記第１輝度値、第２輝度値、及び関係式（１）に基づいて、各グレースケールに対応する前記基準ガンマ曲線と一致する各目標輝度値を得るのに用いられ、そのうち、前記関係式（１）は、具体的には
【数２】
0006488382.tif 000003
である。
【００１５】
そのうち、前記Ｌｘはｘグレースケールで算出された目標輝度値であり、Ｌｍｉｎは前記第１輝度値であり、Ｌｍａｘは前記第２輝度値であり、前記ｘは前記最小グレースケールから最大グレースケールの間の任意のグレースケールであり、前記Ｇｍａｘは最大グレースケールであり、前記γは前記液晶パネルの標準ガンマ値である。
【００１６】
３つ目と組み合わせて、３つ目による可能な２種類目の実施方法では、さらに表示モジュールと、第３獲得モジュールと、第３調整モジュールと、を備える。前記表示モジュールは、前記液晶パネルに所定のグレースケールの画面を表示させるのに用いられ、前記所定のグレースケールは、最大グレースケールの３分の２より小さくない。前記第３獲得モジュールは、前記液晶パネルの共通電極電圧Ｖｃｏｍを所定の第１電圧範囲内で変化させるとともに、前記液晶パネルのＶｃｏｍが変化する過程で前記液晶パネルの最小フリッカー値を取得するのに用いられる。前記第３調整モジュールは、前記最小フリッカー値に対応する液晶パネルのＶｃｏｍを最適なＶｃｏｍとするとともに、前記液晶パネルのＶｃｏｍを調整して前記最適なＶｃｏｍとするのに用いられる。
【００１７】
３つ目と組み合わせて、３つ目による可能な３種類目の実施方法において、前記第２獲得モジュールは、具体的には各グレースケールｘに対応する前記液晶パネルのフリッカー値Ｆ（ΔＶｘ）における最小フリッカー値Ｆ（ΔＶｘｍｉｎ）を獲得するとともに、前記最小フリッカー値Ｆ（ΔＶｘｍｉｎ）に対応する調整電圧ΔＶｘｍｉｎを前記グレースケールｘの最適な調整電圧とするのに用いられる。
【発明の効果】
【００１８】
上述の方法において、液晶パネルの輝度情報を調べるとともに、調べられた液晶パネルの輝度情報に基づいて、液晶パネルのグレースケールのグレースケール電圧を調整することによって、液晶パネルのガンマ、フリッカー値といった表示パラメータを自動的に調整することができる。
【図面の簡単な説明】
【００１９】
【図１】本発明の表示パラメータの調整方法における実施方法の流れ図である。
【図２】本発明の表示パラメータの調整方法における別の実施方法の流れ図の一部である。
【図３】図２に示す実施方法における液晶パネルのＶｃｏｍと液晶パネルのフリッカー値の間の関係を示す図である。
【図４】本発明の表示パラメータの調整方法におけるさらに別の実施方法の流れ図である。
【図５】図４に示す実施方法における液晶パネルのグレースケールｘの調整電圧と液晶パネルのフリッカー値の間の関係を示した図である。
【図６】本発明の表示パラメータの調整裝置における実施方法の構造を示した図である。
【図７】本発明の表示パラメータの調整裝置における別の実施方法の構造を示した図である。
【図８】本発明の液晶表示システムにおける実施方法の構造を示した図である。
【発明を実施するための形態】
【００２０】
以下の描写では、限定するためではなく説明のために、特定のシステム構造、インターフェース、技術等の細部を具体的に述べることによってさらにはっきりと本発明について理解できるようにする。しかしながら、本領域の技術者は、このような具体的な細部の記述のないその他の実施方法においても本発明を実現することができることを理解しているべきである。その他の状況では、不要な細部によって本発明の描写を妨げないため、周知の装置、回路、及び詳細な説明を省略する。
【００２１】
図１を参照する。本発明における表示パラメータの調整方法の実施方法の流れ図である。本実施方法において、調整する必要のある表示パラメータは、液晶パネルのガンマ曲線である。前記調整方法は、以下の手順を備える。
【００２２】
手順１０１は、液晶パネルが最小グレースケール画面を表示する時の第１輝度値と最大グレースケール画面を表示する時の第２輝度値を取得する。
【００２３】
例えば、信号発生器（英語：Ｐａｔｔｅｒｎ  Ｇｅｎｅｒａｔｏｒ）により最小グレースケール信号を生成するとともに、液晶パネルに入力することによって、液晶パネルに最小グレースケールの画面を表示させ、フォトダイオード（英語：Ｐｈｏｔｏ  Ｄｉｏｄｅ）を利用して測定し、得られたこの時の液晶パネルの輝度は、第１輝度値である。信号発生器によって最大グレースケール信号を生成するとともに、液晶パネルに入力することによって、液晶パネルに最大グレースケールの画面を表示させ、再び前記フォトダイオードを利用して測定し得られたこの時の液晶パネルの輝度は、第２輝度値である。
【００２４】
手順１０２は、前記第１輝度値、第２輝度値、及び前記液晶パネルの基準ガンマ曲線に基づき、各グレースケール対応する前記基準ガンマ曲線と一致する各目標輝度値を取得する。
【００２５】
例えば、前記第１輝度値、第２輝度値、及び関係式（１）に基づいて、各グレースケールに対応する前記基準ガンマ曲線と一致する各目標輝度値を取得する。そのうち、前記関係式（１）は、具体的には
【数３】
0006488382.tif 000004
である。
【００２６】
そのうち、前記Ｌｘはｘグレースケールで算出された目標輝度値であり、Ｌｍｉｎは前記第１輝度値であり、Ｌｍａｘは前記第２輝度値であり、前記ｘは前記最小グレースケールから最大グレースケールの間の任意のグレースケールであり、前記Ｇｍａｘは最大グレースケールであり、前記γは前記液晶パネルの標準ガンマ値である。
【００２７】
手順１０３は、各グレースケールに対応する前記目標輝度値及びあらかじめ取得された前記液晶パネルのグレースケール電圧と輝度の間の関係に基づいて、前記液晶パネルの各グレースケールの目標グレースケール電圧を取得する。
【００２８】
仮にあらかじめ取得された液晶パネルのグレースケール電圧と輝度の間の関係をｆ（Ｌｘ、Ｖｘ）とすると、上述の手順に基づいて得られた各グレースケールに対応する目標輝度Ｌｘは、各グレースケールに対応する必要とされる目標グレースケール電圧Ｖｘを対応して算出することができる。
【００２９】
そのうち、前記あらかじめ取得された液晶パネルのグレースケール電圧と輝度の間の関係は、フォトダイオードによって測定され取得される。具体的には、フォトダイオードを利用して液晶パネルの異なるグレースケール電圧における表示画面の輝度値を測定し、前記異なるグレースケール電圧及びそれに対応する輝度値に基づいて、液晶パネルのグレースケール電圧と輝度の間の関係を算出する。
【００３０】
手順１０４は、液晶パネルの各グレースケールのグレースケール電圧を調整して前記グレースケールの目標グレースケール電圧にする。
【００３１】
例えば、各グレースケールｘの目標グレースケール電圧値をすべて液晶パネルのタイミングコントローラ（英語の正式名称：Ｔｉｍｉｎｇ  Ｃｏｎｔｒｏｌｌｅｒ）基板に送信することによって、液晶パネルの各グレースケールのグレースケール電圧を調整して、上述で取得した前記グレースケールに対応する必要とされる目標グレースケール電圧Ｖｘにし、液晶パネルのガンマを調整することができる。
【００３２】
本実施方法では、フォトダイオードを利用して液晶パネルの最大グレースケール画面と最小グレースケール画面における輝度を測定することによって、液晶パネルの各グレースケールにおける目標輝度を取得し、さらにフォトダイオードに基づいて、液晶パネルのグレースケール電圧と輝度の間の関係を測定して取得し、前記液晶パネルの各グレースケールにおいて必要とされるグレースケール電圧を取得し、さらに表示パラメータであるガンマを自動的に調整することができる。
【００３３】
図２を参照する、図２は、本発明による表示パラメータの調整方法における別の実施方法の流れ図の一部である。液晶パネルのガンマ、フリッカー値といった表示パラメータをさらに正確に調整するため、本実施方法は、液晶パネルのガンマを調整する前に、液晶パネルのＶｃｏｍを調整して最適にする。前記方法は、図１に示す手順を備えるとともに、図１で述べた手順を実行する前に、以下の手順を行う。
【００３４】
手順２０１は、液晶パネルに所定のグレースケールの画面を表示させる。前記所定のグレースケールは、最大グレースケールの３分の２より小さくない。
【００３５】
例えば、まず信号発生器によって所定のグレースケールのグレースケール信号を発生させるとともに、前記所定のグレースケールの信号を液晶パネルに送信し、液晶パネルに対応するグレースケールの画面を表示させる。前記所定のグレースケールの設定は、使用者によって設定することができるまたはシステムによって設定される。一般に、前記所定のグレースケールは、最大グレースケールの３分の２より小さくないことで、後に続く液晶パネルのフリッカー値の測定の正確性が保証される。液晶パネルの輝度とグレースケール間で成立する正比例の関係に基づき、生成された画面グレースケールが大きければ大きいほど、液晶パネルの輝度も大きくなるため、この時、測定して得られた液晶パネルのフリッカー値は、さらに正確さを増す。好ましい実施例において、液晶パネルによって最大グレースケールの画面を生成することができるため、この時、液晶パネルの輝度は最大であり、測定された液晶パネルのフリッカー値は最も正確である。
【００３６】
手順２０２は、前記液晶パネルの共通電極電圧（英語：Ｃｏｍｍｏｎ  Ｖｏｌｔａｇｅ、略称：Ｖｃｏｍ）を所定の第１電圧の範囲内で変化させるとともに、前記液晶パネルのＶｃｏｍが変化する過程で液晶パネルの最小フリッカー値を獲得する。
【００３７】
液晶パネルが前記所定のグレースケールの画面を表示した後、液晶パネルのＶｃｏｍを調整し、液晶パネルのＶｃｏｍを所定の第１電圧の範囲内で高電圧から低電圧または低電圧から高電圧に変化させるとともに、フォトダイオードを利用して液晶パネルの輝度値を測定することによって、図３に示すように、前記過程において対応した液晶パネルのフリッカー値を取得することができる。前記変化の過程で取得された液晶パネルのフリッカー値から最小の液晶パネルのフリッカー値を探し出し、図３に示すＡ点のように、最小フリッカー値とする。
【００３８】
そのうち、前記所定の第１電圧の範圍は、前記液晶パネルが許容する最大Ｖｃｏｍから前記液晶パネルが許容する最小Ｖｃｏｍである。
【００３９】
手順１０３は、前記最小フリッカー値に対応する液晶パネルのＶｃｏｍを最適なＶｃｏｍとするとともに、前記液晶パネルのＶｃｏｍを調整して前記最適なＶｃｏｍとする。
【００４０】
上述で調べられた最小フリッカー値が対応するＶｃｏｍ、図２に示すＡ點に対応するＶｃｏｍを獲得するとともに、前記Ｖｃｏｍを液晶パネルの最適なＶｃｏｍとする。前記最適なＶｃｏｍの数値を液晶パネルのタイミングコントローラー基板に送信することによって、液晶パネルのＶｃｏｍを調整して前記最適なＶｃｏｍとする。
【００４１】
さらに、本実施方法は、ガンマを調整する前に、Ｖｃｏｍを最適に調整し、後に続く表示パラメータの調整の正確さを向上させる。
【００４２】
図４を参照する。図４は、本発明における表示パラメータの調整方法のさらに別の実施方法の流れ図である。本実施方法において、調整する必要のある表示パラメータは、液晶パネルのフリッカー値であり、前記方法は以下の手順を備える。
【００４３】
手順４０１は、前記液晶パネルの各グレースケールｘの調整電圧ΔＶｘを所定の第２電圧の範囲内で変化させるとともに、各グレースケールｘの調整電圧ΔＶｘが変化する過程で前記液晶パネルのフリッカー値Ｆ（ΔＶｘ）をそれぞれ取得する。そのうち、前記ｘは、前記最小グレースケールから前記最大グレースケールまでの間の任意のグレースケールであり、前記グレースケールｘの調整電圧ΔＶｘ、前記グレースケールｘに対応する正電圧と負電圧によって変えられた電圧量である。
【００４４】
任意の１つのグレースケールｘを例とすると、液晶パネルのグレースケールｘのグレースケール電圧は、正電圧Ｖｘ+と負電圧Ｖｘ-によって構成され、グレースケールｘの調整電圧ΔＶｘは、前記グレースケールｘに対応する正電圧Ｖｘ+と負電圧Ｖｘ-によって変えられた電圧量と定義される。液晶パネルのグレースケール電圧ｘの正電圧Ｖｘ+と負電圧Ｖｘ-によって同じ電圧に変えられることによって、液晶パネルの表示輝度は確実に変わらない。その電圧量の変化とは、調整電圧ΔＶｘの所定の第２電圧の範囲内における高電圧から低電圧または低電圧から高電圧の変化であり、具体的には、調整電圧は、所定の最小値から所定の最大値に至るまで、順番に変更可能な最小の電圧（最小電圧解像度）を少しずつ増やすとともに、毎回前記グレースケールｘの正電圧と負電圧を調整した後、フォトダイオードを利用してこの時の液晶パネルの輝度値を測定し、この時の液晶パネルのフリッカー値を取得することによって、前記グレースケールｘの調整電圧が変化する過程で液晶パネルのフリッカー値Ｆ（ΔＶｘ）を取得することができる。
【００４５】
液晶パネルの各グレースケールすべてに上述の操作を行うことで、各グレースケールの調整電圧が変化する過程で液晶パネルフリッカー値を取得することができる。
【００４６】
手順４０２は、各グレースケールｘに対応する前記液晶パネルのフリッカー値Ｆ（ΔＶｘ）において、所定のフリッカー値より小さいフリッカー値Ｆ（ΔＶｘ'）を獲得するとともに、前記各グレースケールｘに対応する前記フリッカー値Ｆ（ΔＶｘ'）が対応する調整電圧ΔＶｘ'を獲得し、前記グレースケールｘの最適な調整電圧を取得する。
【００４７】
引き続き任意の１つのグレースケールｘを例とする。上述の手順４０１によって前記グレースケールｘに対応する液晶パネルのフリッカー値Ｆ（ΔＶｘ）を獲得することで、図５に示すように、前記フリッカー値Ｆ（ΔＶｘ）において所定のフリッカー値Ｆ０より小さいフリッカー値Ｆ（ΔＶｘ'）を探し出す。そのうち、前記所定のフリッカー値は、前記液晶パネルのフリッカー値より大きい最小値であることができ、前記液晶パネルのフリッカー値の最大値の半分より小さい任意のフリッカー値である。
【００４８】
前記グレースケールｘに対応する所定のフリッカー値Ｆ０より小さいフリッカー値Ｆ（ΔＶｘ'）を探し出した後、前記所定のフリッカー値Ｆ０より小さいフリッカー値Ｆ（ΔＶｘ'）が対応する調整電圧ΔＶｘ'を獲得する。図５に示す点Ｂから点Ｃの間の横座標の電圧値のように、獲得される必要のある調整電圧ΔＶｘ'の平均値を最適な調整電圧とする、または前記調整電圧ΔＶｘ'の中の１つの電圧値を最適な調整電圧とする。
【００４９】
効率的に、前記グレースケールｘに対応する前記液晶パネルのフリッカー値Ｆ（ΔＶｘ）における最小フリッカー値Ｆ（ΔＶｘｍｉｎ）を直接獲得することができ、前記最小フリッカー値Ｆ（ΔＶｘｍｉｎ）に対応する調整電圧ΔＶｘｍｉｎを獲得するとともに、前記グレースケールｘの最適な調整電圧とする。液晶パネルのフリッカー値と前記グレースケールｘのグレースケール電圧の調整関係は、図５に示す通りであるため、この時、前記最小フリッカー値に対応する調整電圧に基づいて、前記グレースケールｘのグレースケール電圧を調整することで、液晶パネルのフリッカー値を効率的に調整することができる。
【００５０】
液晶パネルの各グレースケールすべてに上述の操作を行うことで、各グレースケールにおける最適な調整電圧を取得することができる。
【００５１】
手順４０３は、各グレースケールｘに対応する正電圧と負電圧をすべて前記グレースケールｘの最適な調整電圧に従って調整することで、液晶パネルのフリッカー値を調整することができる。
【００５２】
引き続き任意の１つのグレースケールｘを例とする。上述の手順４０２によって取得されたグレースケールｘの最適な調整電圧を液晶パネルのタイミングコントローラー基板に送信することによって、液晶パネルの前記グレースケールｘに対応する正電圧と負電圧を調整し、前記グレースケールｘに対応する正電圧と負電圧の変化量をすべて前記グレースケールｘの最適な調整電圧と同じにさせる。
【００５３】
液晶パネルの各グレースケールすべてに上述の操作を行い、各グレースケールに対応する正電圧と負電圧すべてを調整する。この時、各グレースケールの正電圧と負電圧の変化量は同じであり、正電圧と負電圧の間の電圧差を変えてはいないため、グレースケール電圧は変わらず、液晶パネルの各グレースケールの輝度も変わらない。その上液晶パネルのフリッカー値を調整することができる。
【００５４】
最適な実施方法において、液晶パネルのフリッカー値を調整する前に、さらに液晶パネルのＶｃｏｍを先に調整することができ、図２に示す手順２０１−２０３を先に実行してから、図４に示す手順４０１−４０３を実行する。具体的には上述の説明を参照し、ここでは贅言しない。
【００５５】
別の最適な実施方法において、さらに液晶パネルのガンマとフリッカー値を同時に調整することができ、前記実施方法の方法は、図１に示す１０１−１０４の手順を備え、図４に示す４０１−４０３の手順をも備える。さらに効率的に、液晶パネルのガンマとフリッカー値を調整する前に、液晶パネルのＶｃｏｍを先に調整することができ、図２に示す手順２０１−２０３を先に実行してから、図１に示す１０１−１０４の手順と図４に示す４０１−４０３の手順を実施する。具体的には上述の説明を参照し、ここでは贅言しない。
【００５６】
図６を参照する。図６は、本発明における表示パラメータの調整裝置の実施方法の構造を示した図である。本実施方法において、調整される必要のある表示パラメータは、液晶パネルのガンマである。前記表示パラメータの調整裝置６００は、表示モジュール６１０と、第３獲得モジュール６２０と、第３調整モジュール６３０と、獲得モジュール６４０と、第１取得モジュール６５０と、第２取得モジュール６６０と、第１調整モジュール６７０と、を備える。
【００５７】
表示モジュール６１０は、液晶パネルに所定のグレースケールの画面を表示させるのに用いられ、前記所定のグレースケールは、最大グレースケールの３分の２より小さくない。
【００５８】
例えば、表示パラメータの調整裝置６００は、さらに信号発生器（図未視）を備え、表示モジュール６１０は、前記信号発生器に所定のグレースケールのグレースケール信号を発生させるとともに、前記所定のグレースケールの信号を液晶パネルに送信することによって、液晶パネルに対応するグレースケールの画面を表示させる。一般に、前記所定のグレースケールは、最大グレースケールの３分の２より小さくないことで、後に続く液晶パネルのフリッカー値の測定の正確性が保証される。最適な実施例において、液晶パネルに最大グレースケールの画面を生成させることができ、この時、液晶パネルの輝度は最大であり、測定された液晶パネルのフリッカー値は最も正確である。
【００５９】
第３獲得モジュール６２０は、前記液晶パネルのＶｃｏｍを所定の第１電圧の範囲内で変化させるとともに、前記液晶パネルのＶｃｏｍが変化する過程で液晶パネルの最小フリッカー値を獲得するのに用いられる。
【００６０】
液晶パネルが前記所定のグレースケールの画面を表示した後、第３獲得モジュール６２０は液晶パネルのＶｃｏｍを調整し、液晶パネルのＶｃｏｍを所定の第１電圧の範囲内で高電圧から低電圧または低電圧から高電圧に変化させるとともに、フォトダイオードを利用して前記過程において対応する液晶パネルのフリッカー値を獲得し、前記変化の過程で取得された液晶パネルのフリッカー値から最小の液晶パネルのフリッカー値を探し出し、最小フリッカー値とするとともに、前記最小フリッカー値を第３調整モジュール６３０に送信する。そのうち、前記所定の第１電圧の範圍は、前記液晶パネルが許容する最大Ｖｃｏｍから前記液晶パネルが許容する最小Ｖｃｏｍである。
【００６１】
第３調整モジュール６３０は、前記最小フリッカー値に対応する液晶パネルのＶｃｏｍを最適なＶｃｏｍとするとともに、前記液晶パネルのＶｃｏｍを調整して前記最適なＶｃｏｍとするのに用いられる。
【００６２】
第３調整モジュール６３０は、上述で探し出された最小フリッカー値が対応するＶｃｏｍを獲得するとともに、前記Ｖｃｏｍを液晶パネルの最適なＶｃｏｍとする。前記最適なＶｃｏｍの数値を液晶パネルのタイミングコントローラー基板に送信することによって、液晶パネルのＶｃｏｍを調整して前記最適なＶｃｏｍとする。
【００６３】
獲得モジュール６４０は、液晶パネルが最小グレースケール画面を表示する時の第１輝度値と最大グレースケール画面を表示する時の第２輝度値を取得するのに用いられる。
【００６４】
例えば、獲得モジュール６４０は、信号発生器に最小グレースケール信号を生成させるとともに、液晶パネルに入力することによって、液晶パネルに最小グレースケールの画面を表示させる。フォトダイオードを利用して測定されたこの時の液晶パネルの輝度は、第１輝度値である。信号発生器によって最大グレースケール信号を生成するとともに、液晶パネルに入力することによって、液晶パネルに最大グレースケールの画面を表示させる。再び前記フォトダイオードを利用して調べられたこの時の液晶パネルの輝度は、第２輝度値である。獲得モジュール６４０は、前記第１輝度値と第２輝度値を第１取得モジュール６５０に送信する。
【００６５】
第１取得モジュール６５０は、前記第１輝度値、第２輝度値、及び前記液晶パネルの基準ガンマ曲線に基づき、各グレースケールに対応する前記基準ガンマ曲線と一致する各目標輝度値を取得するのに用いられる。
【００６６】
例えば、第１取得モジュール６５０は、前記第１輝度値、第２輝度値、及び関係式（１）に基づいて、各グレースケールに対応する前記基準ガンマ曲線と一致する各目標輝度値を取得し、前記各グレースケール対応する目標輝度値を第２取得モジュール６６０に送信する。そのうち、前記関係式（１）は、具体的には
【数４】
0006488382.tif 000005
である。
【００６７】
そのうち、前記Ｌｘはｘグレースケールで算出された目標輝度値であり、Ｌｍｉｎは前記第１輝度値であり、Ｌｍａｘは前記第２輝度値であり、前記ｘは前記最小グレースケールから最大グレースケールの間の任意のグレースケールであり、前記Ｇｍａｘは最大グレースケールであり、前記γは前記液晶パネルの標準ガンマ値である。
【００６８】
第２取得モジュール６６０は、各グレースケールに対応する前記目標輝度値及びあらかじめ取得された前記液晶パネルのグレースケール電圧と輝度の間の関係に基づいて、前記液晶パネルの各グレースケールの目標グレースケール電圧を取得するのに用いられる。
【００６９】
仮にあらかじめ取得された液晶パネルのグレースケール電圧と輝度の間の関係を図３に示すｆ（ｘ）とすると、第２取得モジュール６６０は、上述で取得された各グレースケールに対応する目標輝度Ｌｘに基づいて、各グレースケールに対応する必要とされる目標グレースケール電圧Ｖｘを対応して算出することができるとともに、前記各グレースケールの目標グレースケール電圧Ｖｘを第１調整モジュール６７０に送信する。
【００７０】
そのうち、前記あらかじめ取得された液晶パネルのグレースケール電圧と輝度の間の関係は、フォトダイオードによって測定され取得される、具体的には、フォトダイオードを利用して液晶パネルの異なるグレースケール電圧における表示画面の輝度値を測定し、前記異なるグレースケール電圧及びそれに対応する輝度値に基づいて、液晶パネルのグレースケール電圧と輝度の間の関係を算出する。
【００７１】
第１調整モジュール６７０は、液晶パネルの各グレースケールのグレースケール電圧を調整して前記グレースケールの目標グレースケール電圧とするのに用いられる。
【００７２】
第１調整モジュール６７０は、液晶パネルの各グレースケールｘのグレースケール電圧を調整して上述で取得された前記グレースケールに対応して必要とされる目標グレースケール電圧Ｖｘとすることで、液晶パネルのガンマを調整することができる。
【００７３】
本実施方法は、フォトダイオードを利用して液晶パネルの最大グレースケールと最小グレースケールの画面における輝度を測定し取得することによって、液晶パネルの各グレースケールにおける目標輝度を取得取得し、さらにフォトダイオードに基づいて液晶パネルのグレースケール電圧と輝度の間の関係を測定し取得し、前記液晶パネルの各グレースケールにおいて必要とされるグレースケール電圧を取得する。さらに表示パラメータであるガンマを自動的に調整することができる。さらに、本実施方法は、ガンマを調整する前に、Ｖｃｏｍを効率的に調整することで、後に続く表示パラメータの調整の正確性を向上させる。
【００７４】
もちろん、その他の実施方法において、表示パラメータの調整裝置は、ガンマを調整する前にＶｃｏｍを効率的に調整しないこともでき、上述の表示モジュール６１０と、第３獲得モジュール６２０と、第３調整モジュール６３０と、を備えない。この実施方法でもガンマを自動的に調整することができる。ただガンマの調整の正確性が上述の実施方法ほどではない。
【００７５】
図７を参照する。図７は、本発明における表示パラメータの調整裝置の別の実施方法の構造を示した図である。本実施方法において、調整される必要のある表示パラメータは、液晶パネルのフリッカー値であり、前記表示パラメータの調整裝置７００は、第１獲得モジュール７１０と、第２獲得モジュール７２０と、第２調整モジュール７３０と、を備える。
【００７６】
第１獲得モジュール７１０は、前記液晶パネルの各グレースケールｘの調整電圧ΔＶｘを所定の第２電圧の範囲内で変化させるとともに、各グレースケールｘの調整電圧ΔＶｘが変化する過程で前記液晶パネルのフリッカー値Ｆ（ΔＶｘ）をそれぞれ獲得するのに用いられる。そのうち、前記ｘは、前記最小グレースケールから前記最大グレースケールまでの間の任意のグレースケールであり、前記グレースケールｘの調整電圧ΔＶｘは、前記グレースケールｘに対応する正電圧と負電圧によって変えられた電圧量である
【００７７】
任意の１つのグレースケールｘを例とすると、液晶パネルのグレースケールｘのグレースケール電圧は、正電圧Ｖｘ+と負電圧Ｖｘ-によって構成され、グレースケールｘの調整電圧ΔＶｘは、前記グレースケールｘに対応する正電圧Ｖｘ+と負電圧Ｖｘ-によって変えられた電圧量と定義される。第一獲得模組７１０は、液晶パネルのグレースケール電圧ｘの正電圧Ｖｘ+と負電圧Ｖｘ-を同じ電圧に変えさせることによって、液晶パネルの表示輝度は確実に変わらない。その電圧量の変化とは、調整電圧ΔＶｘの所定の第２電圧の範囲内における高電圧から低電圧または低電圧から高電圧の変化であるとともに、毎回前記グレースケールｘの正電圧と負電圧を調整した後、フォトダイオードを利用してこの時の液晶パネルの輝度値を測定し、この時の液晶パネルのフリッカー値を取得することによって、前記グレースケールｘの調整電圧が変化する過程で液晶パネルのフリッカー値Ｆ（ΔＶｘ）を取得することができる。
【００７８】
第１獲得モジュール７１０は、液晶パネルの各グレースケールすべてに上述の操作を行うことで、各グレースケールの調整電圧が変化する過程で液晶パネルフリッカー値を取得することができるとともに、各グレースケールｘに対応する液晶パネルのフリッカー値Ｆ（ΔＶｘ）を第２獲得モジュール７２０に送信する。
【００７９】
第２獲得モジュール７２０は、各グレースケールｘに対応する前記液晶パネルのフリッカー値Ｆ（ΔＶｘ）において、所定のフリッカー値より小さいフリッカー値Ｆ（ΔＶｘ'）を獲得するとともに、前記各グレースケールｘに対応する前記フリッカー値Ｆ（ΔＶｘ'）が対応する調整電圧ΔＶｘ'に基づいて、前記グレースケールｘの最適な調整電圧を取得するのに用いられる。
【００８０】
引き続き任意の１つのグレースケールｘを例とする。第１獲得モジュール７１０によって前記グレースケールｘに対応する液晶パネルのフリッカー値Ｆ（ΔＶｘ）を獲得す、図５に示すように、第２獲得モジュール７２０は、前記フリッカー値Ｆ（ΔＶｘ）において所定のフリッカー値Ｆ０より小さいフリッカー値Ｆ（ΔＶｘ'）を探し出す。そのうち、前記所定のフリッカー値は、前記液晶パネルのフリッカー値より大きい最小値であることができ、前記液晶パネルのフリッカー値の最大値の半分より小さい任意のフリッカー値である。
【００８１】
前記グレースケールｘに対応する所定のフリッカー値Ｆ０より小さいフリッカー値Ｆ（ΔＶｘ'）を探し出した後、第２獲得モジュール７２０は、前記所定のフリッカー値Ｆ０より小さいフリッカー値Ｆ（ΔＶｘ'）が対応する調整電圧ΔＶｘ'を獲得し、図５に示す点Ｂから点Ｃの間の横座標の電圧値のように、獲得される必要のある整電圧ΔＶｘ'の平均値を最適な調整電圧とする、または前記調整電圧ΔＶｘ'の中の１つの電圧値を最適な調整電圧とする。
【００８２】
効率的に、第２獲得モジュール７２０は、前記グレースケールｘに対応する前記液晶パネルのフリッカー値Ｆ（ΔＶｘ）における最小フリッカー値Ｆ（ΔＶｘｍｉｎ）を直接獲得することができ、前記最小フリッカー値Ｆ（ΔＶｘｍｉｎ）に対応する調整電圧ΔＶｘｍｉｎを獲得するとともに、前記グレースケールｘの最適な調整電圧とする。液晶パネルのフリッカー値と前記グレースケールｘのグレースケール電圧の調整関係は、図５に示す通りであるため、この時、前記最小フリッカー値に対応する調整電圧に基づいて、前記グレースケールｘのグレースケール電圧を調整することで、液晶パネルのフリッカー値を効率的に調整することができる。
【００８３】
第２獲得モジュール７２０は、液晶パネルの各グレースケールすべてに上述の操作を行うことで、各グレースケールにおける最適な調整電圧を取得することができるとともに、各グレースケールｘの最適な調整電圧を第２調整モジュール７３０に送信する。
【００８４】
第２調整モジュール７３０は、各グレースケールｘに対応する正電圧と負電圧をすべて前記グレースケールｘの最適な調整電圧に従って調整するのに用いられることで、液晶パネルのフリッカー値を調整することができる。
【００８５】
引き続き任意の１つのグレースケールｘを例とする。第２獲得モジュール７２０が取得したグレースケールｘが効率的に電圧を調整した後、第２調整モジュール７３０は、前記グレースケールｘに対応する正電圧と負電圧を調整し、前記グレースケールｘに対応する正電圧と負電圧の変化量すべてを前記グレースケールｘの最適な調整電圧と同じにさせる。
【００８６】
第２調整モジュール７３０は、液晶パネルの各グレースケールすべてに上述の操作を行い、各グレースケールに対応する正電圧と負電圧すべてを調整させる。この時、各グレースケールの正電圧と負電圧の変化量は同じであり、正電圧と負電圧の間の電圧差を変えてはいないため、グレースケール電圧は変わらず、液晶パネルの各グレースケールの輝度も変わらない。その上液晶パネルのフリッカー値を調整することができる。
【００８７】
最適な実施方法において、表示パラメータの調整裝置は、液晶パネルのフリッカー値を調整する前に、さらに液晶パネルのＶｃｏｍを先に調整することができ、前記表示パラメータの調整裝置は、表示モジュール６１０と、第３獲得モジュール６２０と、第３調整モジュール６３０と、を備え、第１獲得モジュール７１０と、第２獲得モジュール７２０と、第２調整モジュール７３０と、をも備える。具体的には上述の説明を参照し、ここでは贅言しない。
【００８８】
別の最適な実施方法において、表示パラメータの調整裝置は、液晶パネルのガンマとフリッカー値を同時に調整することができ、表示パラメータの調整裝置は、さらに獲得モジュール６４０と、第１取得モジュール６５０と、第２取得モジュール６６０と、第１調整モジュール６７０と、を備え、第１獲得モジュール７１０と、第２獲得モジュール７２０と、第２調整モジュール７３０と、をも備える。さらに効率的に、液晶パネルのガンマとフリッカー値を調整する前に、液晶パネルのＶｃｏｍを先に調整する。表示パラメータの調整裝置は、表示モジュール６１０と、第３獲得モジュール６２０と、第３調整モジュール６３０と、獲得モジュール６４０と、第１取得モジュール６５０と、第２取得モジュール６６０と、第１調整モジュール６７０と、第１獲得モジュール７１０と、第２獲得モジュール７２０と、第２調整モジュール７３０と、を備える。具体的には上述の説明を参照し、ここでは贅言しない。
【００８９】
図８を参照する。図８は、本発明のおける液晶表示システムの実施方法の構造を示した図である。本実施方法において、前記液晶表示システム８００は、液晶パネル８１０と、輝度センサー８２０と、表示パラメータの調整裝置８３０と、を備える。
【００９０】
そのうち、輝度センサー８２０は、液晶パネル８１０の輝度情報を獲得するのに用いられ、前記液晶パネル８１０の輝度情報は、液晶パネル８１０の輝度値とフリッカー値を備える。
【００９１】
表示パラメータの調整裝置８３０は、輝度センサー８２０が取得した輝度情報に基づいて、前記液晶パネル８１０の表示パラメータを調整する。具体的には、表示パラメータの調整裝置８３０は、上述の実施方法に示す上述の表示パラメータのような調整裝置である。
【００９２】
さらに、上述の表示パラメータの調整裝置は、さらに上述で液晶パネルの輝度値且つ／またはフリッカー値を獲得するのに用いられたフォトダイオードを備える。
【００９３】
上述の液晶パネルは、薄膜トランジスタ液晶表示装置（略称：ＴＦＴ−ＬＣＤ）であることができるが、薄膜トランジスタ液晶表示装置に限定されない。
【００９４】
上述の方法において、フォトダイオードを利用して液晶パネルの輝度情報を測定し取得することによって、液晶パネルの輝度情報に基づいて、液晶パネルのグレースケールのグレースケール電圧を調整することで、液晶パネルのガンマ、フリッカー値といった表示パラメータを自動的に調整することができる。
【００９５】
本発明が提供するいくつかの実施方法において、当然のことながら、開示されたシステム、裝置と方法は、その他の方法によって実現することができる。例えば、上述に示した裝置の実施方法は、例に過ぎず、例えば、前記モジュールまたはユニットの区別は、論理的に機能で分けたものであって、実際に使用する場合さらに別の方法で区別することもできる。例えば複数のユニットまたは部品は、別のシステムと組み合わせるまたは別のシステムと統合することができる、またはある特徴を無視することができる、または実行しなくてもよい。また、表示したまたは言及した相互間の接続、直接的な接続、または通信接続は、インターフェース、装置またはユニットによる間接的な接続または通信接続であることができ、電気的な接続、機械による接続、またはその他の形式による接続であることもできる。
【００９６】
分離部品の説明である前記ユニットは、物理的に分けられたものであることができる、または物理的に分けられたものでないこともでき、ユニットを成す表示の部品も、物理ユニットであることができる、または物理ユニットでないこともでき、１つの場所に位置する、または複数のインターネットユニット上に分布していることもできる。実際の必要に応じて、そのうちの部分またはユニット全体を選択して本実施方法の目的を達成することができる。
【００９７】
さらに、本発明の各実施方法における各機能ユニットは、１つの処理ユニットに統合されることができ、各ユニットが単独で物理的に存在することもできる。または２つまたは２つ以上のユニットが１つのユニットに統合されることもできる。上述の統合されたユニットは、ハードウェアによる方法を採用して実現することができ、ソフトウェアの機能ユニットによる方法を採用して実現することもできる。
【００９８】
前記統合されたユニットがソフトウェアの機能ユニットの形式で実現されるとともに、単独の商品として販売または使用される時、コンピュータの読み取り保存のインターフェースに保存することができる。このような理解に基づいて、本発明の技術案は、本質的または従来技術による貢献の部分、または前記技術案のすべてまたは一部は、ソフトウェア商品の形式で実現することができる。前記パソコンのソフトウェア商品は、保存インターフェースに保存され、コンピュータ装置（パーソナルコンピューター、サーバー、またはインターネット装置等であることができる）または処理装置（ｐｒｏｃｅｓｓｏｒ）に本発明の各実施方法における前記方法のすべてまたは一部の手順を実行させるのに用いられるいくつかのコマンドを備える。上述の保存インターフェースには、Ｕディスク、モバイルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、ディスクまたはＣＤ−ＲＯＭ等の各種保存できるコードのインターフェースが含まれる。
【符号の説明】
【００９９】
６００  ７００  ８３０  表示パラメータの調整裝置
６１０  表示モジュール
６２０  第３獲得モジュール
６３０  第３調整モジュール
６４０  獲得モジュール
６５０  第１取得モジュール
６６０  第２取得モジュール
６７０  第１調整モジュール
７１０  第１獲得モジュール
７２０  第２獲得モジュール
７３０  第２調整モジュール
８００  液晶表示システム
８１０  液晶パネル
８２０  輝度センサー
【図１】
0006488382.tif 000006
【図２】
0006488382.tif 000007
【図３】
0006488382.tif 000008
【図４】
0006488382.tif 000009
【図５】
0006488382.tif 000010
【図６】
0006488382.tif 000011
【図７】
0006488382.tif 000012
【図８】
0006488382.tif 000013